(57)【要約】【課題】使用者の力を草の挟持力として作用することにより、根強い草であっても確実に抜取り可能に構成する。【解決手段】グリップ部１０と離間する側の斜め上方に延びるレバー本体２０と、レバー本体２０の略中腹よりグリップ部１０に向けて斜め上方に位置する作動片２１と、作動片２１の上端側に挿通固定されるガイドピン２２とからなる操作レバー２を備え、使用者がレバー本体２０を握り操作すると、ガイドピン２２がスリット１１の開口縁に沿ってスライドすると共に、作動片２１が支持シャフト１の軸線と同方向に立ち上がり、操作シャフト１の筒内に挿通する牽引ワイヤ１２を引張って草の挟持部３を作動させる。【選択図】　図１
2004041112.tif 000002
【特許請求の範囲】
【請求項１】
所定の長さを有する筒状の支持シャフトと、支持シャフトの上端側に設けられるグリップ部と、支持シャフトの下端側に設けられる草の挟持部と、グリップ部の近傍で支持シャフトの軸線上に設けられる操作レバーとを備え、草の挟持部と操作レバーとを支持シャフトの筒内に挿通する牽引ワイヤで連結し、使用者が立ち姿勢のままで草の挟持部を操作レバーで作動させて草を摘み取るよう用いられる草取り器具において、
支持シャフトの軸線上に支軸で枢着する基部側よりグリップ部と離間する側の斜め上方に延びるレバー本体と、レバー本体の略中腹に支軸で枢着する下端側よりグリップ部に向けて斜め上方に位置する作動片と、ピン端を支持シャフトの軸線と直交する方向の側方に突出させて作動片の上端側に挿通固定されるガイドピンとを備え、
支持シャフトの筒面まで開口する縦長のスリットをグリップ部の下部寄りに設け、ガイドピンをピン端でスリットの開口縁に沿ってスライド可能に配置し、牽引ワイヤの上端側をガイドピンと連結し、
基部側の支軸を支点に、レバー本体をグリップ部と近付ける方向に握り操作すると、ガイドピンがピン端でスリットの開口縁に沿って上方にスライドすると共に、作動片が支持シャフトの軸線と同方向に立ち上がり、牽引ワイヤをガイドピンで引張って草の挟持部を作動させる操作レバーを備え付けたことを特徴とする草取り器具。
【請求項２】
支持シャフトの上端側に設けられる第１のグリップ部と、第１のグリップ部の上端側から操作レバーと反対側の水平方向に伸びて斜め上方に立ち上る側面略Ｌ字状の連結フレームと、連結フレームの上端側から操作レバーと同じ側の斜め上方に向かう第２のグリップ部とを備え、使用者が片方の手で第１のグリップ部を操作レバーと共に握り、第２のグリップ部を他方の手で握るダブルグリップを備え付けたことを特徴とする請求項１に記載の草取り器具。
【請求項３】
支持シャフトの下端寄りに取り付けられて支持シャフトより側方に張り出す基枠フレームと、基枠フレームに取り付けられて基枠フレームの下端縁より下方に延びる鋭角の刃先を有する突刺しヘラと、突刺しヘラのフレーム面と相対位置すると共に、支持シャフトの下端側から筒内に延びて牽引ワイヤの下端側と連結される作動プレートと、作動プレートの下端側に設けられて略横向きＵの字状の切欠を基枠フレームの張出し側と反対方向で突刺しヘラのフレーム面より突出する側面に有する掛止め片と、作動プレートの外側に嵌装されて支持シャフトの下端側と掛止め片の上部側との間に介在するコイルスプリングと、基枠フレームの外側に支軸で夫々枢着される屈曲基部より片側アームを掛止め片の側部に延ばし、且つ、他側アームを該片側アームと反対方向で各基枠フレームより外方に延ばす側面略下向きＶ字状の揺動フレームとを備え、
片側アームの先端側に取り付ける支ピンを掛止め片の切欠に係合させて揺動フレームを掛止め片と一体に組み付けると共に、クランプ爪を他側アームの先端側に設け、
突刺しヘラの刃先を草の生え際近くで地面に差し込み、操作レバーの握り操作により、コイルスプリングに抗して作動プレートを牽引ワイヤで上方に引張ると共に、揺動フレームを片側アームの支ピンと係合する掛止め片で揺動し、他側アームのクランプ爪を突刺しヘラの刃先に近接させて草を突刺しヘラとクランプ爪とで挟み込む草の挟持部を備え付けたことを特徴とする請求項１または２に記載の草取り器具。
【請求項４】
基枠フレームの側板間に挟込み固定される横断面略コの字状の立付けフレームを有する突刺しヘラと、突刺しヘラの立付けフレームより相対的に横幅の狭い横断面略コの字状の掛止め片とを備え、掛止め片を立付けフレームの内側に相対位置し、掛止め片を突刺しヘラの立付けフレームでスライドガイドする草の挟持部を備え付けたことを特徴とする請求項３に記載の草取り器具。
【請求項５】
縦長のスリットを立付けフレームの背板面に設けた突刺しヘラと、刃先を掛止め片と反対側で突刺しヘラの刃先寄りと摺接可能に配置する払出しヘラとを備え、払出しヘラを作動プレートと突刺しヘラのスリットに挿通するスライドピンで一体に組み立て、突刺しヘラに対する付着物を払出しヘラで取り除く草の挟持部を備え付けたことを特徴とする請求項４に記載の草取り器具。
【発明の詳細な説明】
【０００１】
【発明の属する技術分野】
本発明は、使用者が立ち姿勢のままで草の挟持部を操作レバーで作動することにより、一般家庭の芝庭等に生える草を摘み取るよう用いられる草取り器具に関するものである。
【０００２】
【従来の技術】
従来、使用者が立姿勢のままで使用可能な草取り器具としては、長尺な支持シャフトを主体とし、逆Ｌ字状の掛止め片を上部側に設けた接地板を支持シャフトの軸線に沿ってスライド可能に備えると共に、接地板の掛止め片と係合乃至は離脱可能な施錠フックを支持シャフトの軸線上に設け、接地板の板面に形成した切欠から刃先を下方に突出し可能な第１の挟持片と、捩りコイルバネで屈伸動するリンクフレームにより第１の挟持片に対して近接乃至は離間可能な第２の挟持片とを設け、第１の挟持片と第２の挟持片とを草の挟持部として支持シャフトの下端側に備え付けるものが提案されている（特開平９−９７０１号）。
【０００３】
その草取り器具は、使用者が接地板を草の生え際で地面にあてがって支持シャフトを押し下げると、第１の挟持片の刃先が接地板の切欠から下方に突き出て地面に突き刺さり、一方、リンクフレームが屈折動し、第２の挟持片が第１の挟持片に向けて近接動することから、草を第１，第２の挟持片で挟み込むと共に、リンクフレームを施錠フックと係合する接地板の掛止め片で屈曲状態に保つことにより、使用者が支持シャフトを引き上げると、草を第１，第２の挟持片で摘んで抜き取れるよう構成されている。
【０００４】
その草取り器具では、リンクフレームのねじりコイルバネによる屈接力に頼って草を第１，第２の挟持片で挟み込むよう構成されている。このため、リンクフレームの連結部等に機構的な遊びがあると、草を第１，第２の挟持片で確実に挟み込めず、また、根強い草であると、最後まで完全に抜き取れない虞れがある。
【０００５】
【発明が解決しようとする課題】
本発明は、使用者の力を草の挟持力として作用することにより、根強い草であっても確実に抜取り可能な草取り器具を提供することを目的とする。
【０００６】
それに加えて、器具全体を安定よく手で持って操作可能な草取り器具を提供することを目的とする。
【０００７】
また、草を簡単な機構で確実に挟み込める草の挟持部を備える草取り器具を提供することを目的とする。
【０００８】
更に、レバー操作により安定よく作動可能な草の挟持部を備える草取り器具を提供することを目的とする。
【０００９】
この他に、抜き取った草等の付着物を機械的に取除き可能な草取り器具を提供することを目的とする。
【００１０】
上述した以外の本発明の目的は、特徴部分と共に、以下で説明する発明の実施の形態中で明らかにする。
【００１１】
【課題を解決するための手段】
本発明の請求項１に係る草取り器具においては、所定の長さを有する筒状の支持シャフトと、支持シャフトの上端側に設けられるグリップ部と、支持シャフトの下端側に設けられる草の挟持部と、グリップ部の近傍で支持シャフトの軸線上に設けられる操作レバーとを備え、草の挟持部と操作レバーとを支持シャフトの筒内に挿通する牽引ワイヤで連結し、使用者が立ち姿勢のままで草の挟持部を操作レバーで作動させて草を摘み取るもので、
支持シャフトの軸線上に支軸で枢着する基部側よりグリップ部と離間する側の斜め上方に延びるレバー本体と、レバー本体の略中腹に支軸で枢着する下端側よりグリップ部に向けて斜め上方に位置する作動片と、ピン端を支持シャフトの軸線と直交する方向の側方に突出させて作動片の上端側に挿通固定されるガイドピンとを備え、
支持シャフトの筒面まで開口する縦長のスリットをグリップ部の下部寄りに設け、ガイドピンをピン端でスリットの開口縁に沿ってスライド可能に配置し、牽引ワイヤの上端側をガイドピンと連結し、
基部側の支軸を支点に、レバー本体をグリップ部と近付ける方向に握り操作すると、ガイドピンがピン端でスリットの開口縁に沿って上方にスライドすると共に、作動片が支持シャフトの軸線と同方向に立ち上がり、牽引ワイヤをガイドピンで引張って草の挟持部を作動させる操作レバーを備え付けることにより構成されている。
【００１２】
本発明の請求項２に係る草取り器具においては、支持シャフトの上端側に設けられる第１のグリップ部と、第１のグリップ部の上端側から操作レバーと反対側の水平方向に伸びて斜め上方に立ち上る側面略Ｌ字状の連結フレームと、連結フレームの上端側から操作レバーと同じ側の斜め上方に向かう第２のグリップ部とを備え、使用者が片方の手で第１のグリップ部を操作レバーと共に握り、第２のグリップ部を他方の手で握るダブルグリップを備え付けることにより構成されている。
【００１３】
本発明の請求項３に係る草取り器具においては、支持シャフトの下端寄りに取り付けられて支持シャフトより側方に張り出す基枠フレームと、基枠フレームに取り付けられて基枠フレームの下端縁より下方に延びる鋭角の刃先を有する突刺しヘラと、突刺しヘラのフレーム面と相対位置すると共に、支持シャフトの下端側から筒内に延びて牽引ワイヤの下端側と連結される作動プレートと、作動プレートの下端側に設けられて略横向きＵの字状の切欠を基枠フレームの張出し側と反対方向で突刺しヘラのフレーム面より突出する側面に有する掛止め片と、作動プレートの外側に嵌装されて支持シャフトの下端側と掛止め片の上部側との間に介在するコイルスプリングと、基枠フレームの外側に支軸で夫々枢着される屈曲基部より片側アームを掛止め片の側部に延ばし、且つ、他側アームを該片側アームと反対方向で各基枠フレームより外方に延ばす側面略下向きＶ字状の揺動フレームとを備え、
片側アームの先端側に取り付ける支ピンを掛止め片の切欠に係合させて揺動フレームを掛止め片と一体に組み付けると共に、クランプ爪を他側アームの先端側に設け、
突刺しヘラの刃先を草の生え際近くで地面に差し込み、操作レバーの握り操作により、コイルスプリングに抗して作動プレートを牽引ワイヤで上方に引張ると共に、揺動フレームを片側アームの支ピンと係合する掛止め片で揺動し、他側アームのクランプ爪を突刺しヘラの刃先に近接させて草を突刺しヘラとクランプ爪とで挟み込む草の挟持部を備え付けることにより構成されている。
【００１４】
本発明の請求項４に係る草取り器具においては、基枠フレームの側板間に挟込み固定される横断面略コの字状の立付けフレームを有する突刺しヘラと、突刺しヘラの立付けフレームより相対的に横幅の狭い横断面略コの字状の掛止め片とを備え、掛止め片を立付けフレームの内側に相対位置し、掛止め片を突刺しヘラの立付けフレームでスライドガイドする草の挟持部を備え付けることにより構成されている。
【００１５】
本発明の請求項５に係る草取り器具においては、縦長のスリットを立付けフレームの背板面に設けた突刺しヘラと、刃先を掛止め片と反対側で突刺しヘラの刃先寄りと摺接可能に配置する払出しヘラとを備え、払出しヘラを作動プレートと突刺しヘラのスリットに挿通するスライドピンで一体に組み立て、突刺しヘラに対する付着物を払出しヘラで取り除く草の挟持部を備え付けることにより構成されている。
【００１６】
【発明の実施の形態】
以下、添付図面を参照して説明すると、図示実施の形態に係る草取り器具は、図１で示すように使用者が立ち姿勢のまま両手で握れるグリップ部１０を上端側に設けた長尺な筒状の支持シャフト１を主体とし、使用者がグリップ部１０と共に手で握って作動させる操作レバー２を操作シャフト１の軸線上に備え、草を操作レバー２の作動で挟み込む草の挟持部３を支持シャフト１の下端側に備えることにより構成されている。
【００１７】
その構成各部は、主に、グリップ部１０を除いて金属製の構成部材から形成されている。支持シャフト１は、使用者が立ち姿勢のままで使用可能な所定の長さを有する円筒状のパイプ部材で形成されている。
【００１８】
グリップ部１０は、支持シャフト１の上端側に設けられる第１のグリップ部１０ａと、グリップ部１０ａの上端側から上方に立ち上る連結フレーム１０ｂと、連結フレーム１０ｂの上端側から操作レバー２と同じ側の斜め上方に向かう第２のグリップ部１０ｃとから構成されている。このグリップ部１０は、使用者が片方の手で第１のグリップ部１０ａを操作レバー２と共に握り、第２のグリップ１０ｃを他方の手で握って器具全体を安定よく操作可能なダブルグリップとして備え付けられている。
【００１９】
第１のグリップ部１０ａ並びに第２のグリップ部１０ｃは、プラスチック製のパイプ部材で構成されている。連結フレーム１０ｂは、操作レバー２と反対側の水平方向に伸びて斜め上方に立ち上る側面略Ｌ字状に形成し、第１のグリップ部１０ａを握る手と、第２のグリップ１０ｃを手とを離間させて器具全体を安定よく持てるよう備え付けられている。
【００２０】
その連結フレーム１０ｂは、第１のグリップ部１０ａ並びに第２のグリップ部１０ｃと別体に金属製の丸棒材で形成されている。その連結フレーム１０ｂは、上下の各軸端をビス１０ｄ，１０ｅで各グリップ部１０ａ，１０ｃの端部に締付け固定することにより第１のグリップ部１０ａと第２のグリップ部１０ｃとの間を連結するよう組み付けられている。なお、連結フレーム１０ｂを含む全体をプラスチックで一体に形成したグリップ部１０でも備え付けられる。
【００２１】
操作レバー２は、図２で示すようにレバー本体２０，作動片２１，ガイドピン２２を備えて構成されている。レバー本体２０は、支持シャフト１の軸線上に支軸２３で枢着する基部側より第１のグリップ部１０ａと離間する側の斜め上方に延びるよう取り付けられている。作動片２１は、レバー本体２０の略中腹に支軸２４で枢着する下端側よりグリップ部１０ａに向けて斜め上方に位置するよう取り付けられている。ガイドピン２２は、ピン端を支持シャフト１の軸線と直交する方向の側方に突出させて作動片２１の上端側に挿通固定されている。
【００２２】
その操作レバー２は、図２並びに図３で示すように支持シャフト１の筒面まで開口する縦長のスリット１１をグリップ部１０ａの下部寄りに設け、ガイドピン２２をピン端でスリット１１の開口縁に沿ってスライド可能に配置し、支持シャフト１の筒内に挿通する牽引ワイヤ１２を上端側でガイドピン２２の軸線上に絡め止めることにより支持シャフト１の軸線上に組み付けられている。
【００２３】
その操作レバー２は、図４で示すように基部側の支軸２３を支点に、レバー本体２０をグリップ部１０ａと近付ける方向に握り操作すると、ガイドピン２２がピン端でスリット１１の開口縁に沿って上方にスライドすると共に、作動片２１が支持シャフト１の軸線と同方向に立ち上ることにより、牽引ワイヤ１２をガイドピン２２で引張って草の挟持部３を作動させるよう備え付けられている。
【００２４】
草の挟持部３は、図５で示すように支持シャフト１の下端寄りに取り付けられて支持シャフト１より側方に張り出す基枠フレーム３０をベースに、突刺しヘラ３１，作動プレート３２，掛止め片３３，コイルスプリング３４，揺動フレーム３５，払出しヘラ３６を備えて組み立てられている。この構成中で、後述するように突刺しヘラ３１の刃先と揺動フレーム３５に設ける片側アームのクランプ爪とから草を挟み込むよう組み立てられている。
【００２５】
そのベースとなる基枠フレーム３０は、図６で示すように支持シャフト１の外側略半分に嵌り合う横断面半円形のあてがい板３０ａと、あてがい板３０ａの両側より相対する同方向に張り出す同じ形状の側面略台形を呈する側板３０ｂ，３０ｂ’と、側板３０ｂ，３０ｂ’の相対方向に折れ曲がる背板３０ｃ，３０ｃ’とから形成されている。
【００２６】
その基枠フレーム３０は、図７で示すようにあてがい板３０ａを支持シャフト１の外側に嵌め合せてリベット３０ｄ，３０ｅで締付け固定することにより、左右の側板３０ｂ，３０ｂ’が支持シャフト１の下端寄りから相対する同方向の側方に張り出すよう取り付けられている。なお、あてがい板３０ａは側板３０ｂ，３０ｂ’の略中腹までの長さを持って側板３０ｂ，３０ｂ’の下部側で切り欠かれている。
【００２７】
突刺しヘラ３１は、図８で示すように鋭角の刃先３１ａを有し、その刃先３１ａより上方に延長する横断面略コの字状の立付けフレーム３１ｂを備えて形成されている。この突刺しヘラ３１は、立付けフレーム３１ｂを基枠フレーム３０の側板３０ｂ，３０ｂ’に挟み込んで複数のリベット３１ｃ，３１ｄ、３１ｅ，３１ｆで側板３０ｂ，３０ｂ’に締付け固定することにより、刃先３１ａが基枠フレーム３０の下端縁より下方に延びるよう取り付けられている。
【００２８】
作動プレート３２は、図５並びに図６で示す如く突刺しヘラ３１の立付けフレーム３１ｂよりも相対的に横幅の狭い縦長な横断面略コの字状を呈するもので、牽引ワイヤ１２の下端側を連結する折曲げ片３２ａを上端側に備えて形成されている。この作動プレート３２は、突刺しヘラ３１の立付けフレーム３１ｂと相対位置すると共に、支持シャフト１の下端側から筒内に延びて折曲げ片３２ａを牽引ワイヤ１２の下端側と連結することにより上下に移動可能に組み付けられている。
【００２９】
掛止め片３３は、図７並びに図８で示す如く立付けフレーム３１ｂよりも相対的に横幅の狭い縦長な横断面略コの字状を呈するもので、略横向きＵの字状の切欠３３ａ，３３ａ’を両側の側板３３ｂ，３３ｂ’に整合させて開口するよう形成されている。この掛止め片３３は、作動プレート３２の外側に嵌め合せて背板３３ｃをビス３３ｄ，３３ｅで締付け固定することから、作動プレート３２の下端側で基枠フレーム３０の張出し側と反対方向に突出するよう取り付けられている。また、立付けフレーム３１ｂの内側に相対位置し、突刺しヘラ３１でスライドガイド可能に組み付けられている。
【００３０】
コイルスプリング３４は、図７で示すように作動プレート３２の外側に嵌装することにより、支持シャフト１の下端側と掛止め片３３の上部側の間に介在するよう組み付けられている。このコイルスプリング３４は、牽引ワイヤ１２による作動プレート３２の引上げに伴って圧縮され、作動プレート３２の引上げ解除に伴って作動プレート３２を押し下げるよう伸長可能に組み付けられている。
【００３１】
揺動フレーム３５は、図５並びに図６で示すように両側の側板が略下向きＶ字状を呈するよう形成されている。また、基枠フレーム３０の外側で側板３０ｂ，３０ｂ’に支軸３５ａで夫々枢着される屈曲基部３５ｂ，３５ｂ’より片側アーム３５ｃ，３５ｃ’を掛止め片３３の側部に延ばし、他側アーム３５ｄ，３５ｄ’を片側アーム３５ｃ，３５ｃ’と反対方向で基枠フレーム３０の側板３０ｂ，３０ｂ’より外方に延ばすよう形成されている。
【００３２】
その揺動フレーム３５には、片側アーム３５ｃ，３５ｃ’の間に掛渡し固定する支ピン３５ｅが先端側に取り付けられている。この支ピン３５ｅは、掛止め片３３の切欠３３ａ，３３ａ’に係合し、揺動フレーム３５を掛止め片３３と一体に作動するよう組み付けられている。他側アーム３５ｄ，３５ｄ’の先端側には、クランプ爪３５ｇが他側アーム３５ｄ，３５ｄ’の間に亘る橋絡フレーム３５ｆを折り返すことにより設けられている。
【００３３】
払出しヘラ３６は、図７並びに図８で示すように突刺しヘラ３１の刃先３１ａよりも横幅の広い略台形の刃先３６ａを有し、その刃先３６ａを掛止め片３３と反対側で突刺しヘラ３１の刃先寄りと摺接可能にあてがうことにより配置されている。この払出しヘラ３６は、上下端寄りをヘの字状に折り曲げて板バネ状に形成し、立付けフレーム３１ｂの背板面に設けた縦長のスリット３１ｇに挿通するねじ込みビス等のスライドピン３６ｂで作動プレート３２と一体に組み立てられている。
【００３４】
このように構成する草取り器具は、使用者が立ち姿勢のままでハンドル部１０を手で持って作業を行えるため、上半身を屈める無理な姿勢をとらないで済むから体に負担が掛からない。
【００３５】
草を抜き取るには、まず、図９で示す如く突刺しヘラ３１の刃先３１ａを草の生え際近くで地面に差し込み、図４で示すように操作レバー３のレバー本体２０をグリップ部１０ａと近付ける方向に握り操作すると、ガイドピン２２がピン端でスリット１１の開口縁に沿って上方にスライドすると共に、作動片２１が支持シャフト１の軸線と同方向に立ち上ることから、牽引ワイヤ１２がガイドピン２２で上方に引っ張られる。
【００３６】
その牽引ワイヤ１２の引張りに伴っては、図１０で示すように作動プレート３２がコイルスプリング３４に抗して上方に移動すると共に、作動プレート３２と一体の掛止め片３３が片側アーム３５ｃ，３５ｃ’の支ピン３５ｅと係合する揺動フレーム３５を支軸３５ａで回動し、他側アーム３５ｄ，３５ｄ’のクランプ爪３５ｇを突刺しヘラ３１の刃先３１ａに近接させることにより草を突刺しヘラ３１とクランプ爪３５ｇとで挟み込める。
【００３７】
その挟持部３の動作中、掛止め片３３は突刺しヘラ３１の立付けフレーム３１ｂでスライドガイドされるため、揺動フレーム３５を安定よく回動させられる。草を突刺しヘラ３１とクランプ爪３５ｇとで挟み込んでから、操作レバー２の握り操作を持続すると、使用者の力が突刺しヘラ３１とクランプ爪３５ｇとによる草の挟持力として作用できるから、草を突刺しヘラ３１とクランプ爪３５ｇとで確実に抜き取れる。また、根強い草であっても、クリップ部１０ａ，１０ｃを両手で握れば安定よく容易に抜き取れる。
【００３８】
草の抜取り後は、レバー本体２０の握りを解除すると、今まで圧縮状態にあったコイルスプリング３４が伸長動し、作動プレート３２がコイルスプリング３４で下方にバネ押圧されることから、掛止め片３３が片側アーム３５ｃ，３５ｃ’の支ピン３５ｅと係合する揺動フレーム３５を元の状態に復帰回動し、他側アーム３５ｄ，３５ｄ’のクランプ爪３５ｇを突刺しヘラ３１の刃先３１ａから離間させる。これにより、突刺しヘラ３１とクランプ爪３５ｇとで抜き取った草を排出できる。
【００３９】
その際に、草等が揺動フレーム３５の復帰動に伴って突刺しヘラ３１の刃先３１ａに付着していても、払出しヘラ３６が作動プレート３２とスライドピン３６ｂで一体に組み立てられているため、払出しヘラ３６が突刺しヘラ３１の板面に沿って作動プレート３２と共に下降動することから、突刺しヘラ３１に対する草等の付着物を払出しヘラ３６で取り除ける。なお、揺動フレーム３５の復帰動と共に、操作レバー２もコイルスプリング３４で元の常態に戻る。
【００４０】
本明細書中で用いた用語及び表現は単に説明のために用いたものに過ぎず、本発明の内容を何ら限定するものではない。仮に、限定的な用語や表現を用いたとしても、そのことにより、上述した本発明の形態と均等なものやその一部を排除する意図はない。このため、権利が要求されている本発明の範囲内で種々の変更が加えられる。
【００４１】
【発明の効果】
以上の如く、本発明の請求項１に係る草取り器具に依れば、操作レバーのレバー本体をグリップ部と近付ける方向に握り操作すると、ガイドピンがスリットの開口縁に沿って上方にスライドすると共に、作動片が支持シャフトの軸線と同方向に立ち上がり、牽引ワイヤをガイドピンで引張って草の挟持部を作動させることにより、使用者の力を草の挟持力として作用させられるため、使用者が器具全体を引き上げるのに伴って草を強く掴んで確実に抜き取れる。
【００４２】
本発明の請求項２に係る草取り器具に依れば、使用者が片方の手で第１のグリップ部を操作レバーと共に握り、第２のグリップ部を他方の手で握るダブルグリップを備え付けることにより、器具全体を安定よく支えられて草の抜取り作業を容易に行える。
【００４３】
本発明の請求項３に係る草取り器具に依れば、突刺しヘラの刃先を草の生え際近くで地面に差し込み、操作レバーの握り操作により、コイルスプリングに抗して作動プレートを牽引ワイヤで上方に引張ると共に、揺動フレームを片側アームの支ピンと係合する掛止め片で揺動し、他側アームのクランプ爪を突刺しヘラの刃先に近接させて草を突刺しヘラとクランプ爪とで挟み込む草の挟持部を備え付けることにより、草を突刺しヘラとクランプ爪とで挟み込んで確実に抜き取れると共に、草等の排出も容易に行なえる。
【００４４】
本発明の請求項４に係る草取り器具に依れば、掛止め片を立付けフレームの内側に相対位置し、掛止め片を突刺しヘラの立付けフレームでスライドガイドする草の挟持部を備え付けることにより、草の挟持部を安定よく作動させられる。
【００４５】
本発明の請求項５に係る草取り器具に依れば、払出しヘラを作動プレートと突刺しヘラのスリットに挿通するスライドピンで一体に組み立て、突刺しヘラに対する付着物を払出しヘラで取り除く草の挟持部を備え付けることにより、操作レバーの握り解除後に、草等が突刺しヘラに付着していても払出しヘラで確実に排出できる。
【図面の簡単な説明】
【図１】本発明に係る草取り器具を支持シャフトの中間省略で全体的に示す側面図である。
【図２】図１の草取り器具におけるグリップ部を主に示す側断面図である。
【図３】図２のグリップ部を示すＡ−Ａ線断面図である。
【図４】図２のクリップ部を握り操作状態で示す側面図である。
【図５】図１の草取り器具における草の挟持部を主に示す側面図である。
【図６】図５の草の挟持部を示すＢ−Ｂ線断面図である。
【図７】図５の草の挟持部を示す側断面図である。
【図８】図５の草の挟持部を示す背面図である。
【図９】図５の草の挟持部を突刺しヘラの接地状態で示す説明図である。
【図１０】図５の草の挟持部を作動状態で示す説明図である。
【符号の説明】
１　　　　　　　支持シャフト
１０　　　　　　グリップ部
１０ａ　　　　　第１のグリップ部
１０ｂ　　　　　連結フレーム
１０ｃ　　　　　第２のグリップ部
１１　　　　　　グリップ部のスリット
１２　　　　　　牽引ワイヤ
２　　　　　　　操作レバー
２０　　　　　　レバー本体
２１　　　　　　作動片
２２　　　　　　ガイドピン
３　　　　　　　草の挟持部
３０　　　　　　基枠フレーム
３１　　　　　　突刺しヘラ
３２　　　　　　作動プレート
３３　　　　　　掛止め片
３４　　　　　　コイルスプリング
３５　　　　　　揺動フレーム
３５ｇ　　　　　クランプ爪
３６　　　　　　払出しヘラ
【図１】
2004041112.tif 000003
【図２】
2004041112.tif 000004
【図３】
2004041112.tif 000005
【図４】
2004041112.tif 000006
【図５】
2004041112.tif 000007
【図６】
2004041112.tif 000008
【図７】
2004041112.tif 000009
【図８】
2004041112.tif 000010
【図９】
2004041112.tif 000011
【図１０】
2004041112.tif 000012